(57)【要約】【課題】装置本体を構成する複数の筐体を回転可能に連結するヒンジ機構部の近傍に配置されている磁気センサとマグネットとが接近した際に、磁気センサが反応してその出力がオンとなる状態が続いたとしても、磁気センサとマグネットとが離間した際には、磁気センサを確実にオフできるようにする。【解決手段】本体筐体１と表示筐体２とを回転可能に連結するヒンジ機構部５の近傍に磁気センサ８、スタイル検出用マグネット９のほか、このスタイル検出用マグネット９とは磁極が逆の誤動作防止用マグネット１０を設け、磁気センサ８とスタイル検出用マグネット９とが接近する「ビュースタイル」の状態では、磁気センサ８が反応してオンとなるが、磁気センサ８と誤動作防止用マグネット１０とが接近している「オープンスタイル」に変化すると、誤動作防止用マグネット１０による逆の磁性によって磁気センサ８が無反応のオフ状態となる。【選択図】  図４
2006128982.tif 000002
【特許請求の範囲】
【請求項１】
装置本体を構成する複数の筐体を回転可能に連結するヒンジ機構部の近傍に配置されている磁気センサとマグネットとが接近した際に、当該磁気センサが反応してオンすることで装置本体の形態が第１のスタイルから第２のスタイルに変化したことを検出する携帯端末装置であって、
前記磁気センサとマグネットとが接近している第２のスタイルから前記ヒンジ機構部を介して何れかの筐体を回転させることで第１のスタイルに変化させた際に、当該磁気センサに接近する位置に前記マグネットとは磁極が逆の他のマグネットを設け、
前記磁気センサが前記他のマグネットに接近した際に、磁気センサが前記逆の磁極によって無反応のオフ状態となる構成とした、ことを特徴とする携帯端末装置。
【請求項２】
前記ヒンジ機構部と筐体とを連結する部分の強度を維持するためにヒンジ機構部のブラケットを金属製の部材とし、この金属製ブラケットに前記磁気センサを取り付けた、ことを特徴とする請求項1記載の携帯端末装置。
【請求項３】
前記第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする前記磁気センサからの出力に基づいてデータの表示向きを変更する表示制御手段を設けた、ことを特徴とする請求項1記載の携帯端末装置。
【請求項４】
前記装置本体は、キー操作部を備えた本体筐体と表示部を備えた表示筐体とがヒンジ機構部を介して開閉可能に取り付けられていると共に、表示筐体が前記ヒンジ機構部を介して回転可能に取り付けられた折畳型・回転型の装置本体であり、
前記本体筐体と表示筐体とが前記ヒンジ機構部を介して開いた状態となるスタイルと、本体筐体と表示筐体とを開いた状態において前記ヒンジ機構部を介して表示筐体を逆向きに回転させた状態あるいは表示筐体を逆向きに回転させた状態から前記ヒンジ機構部を介して表示筐体を本体筐体に折り畳むことによって本体筐体と表示筐体とが重なり合った状態となるスタイルとに変更可能とした、ことを特徴とする請求項１あるいは請求項３記載の携帯端末装置。
【請求項５】
前記装置本体は、キー操作部を備えた本体筐体と表示部を備えた表示筐体とが回転ヒンジ機構部を介して回転可能に取り付けられた回転型の装置本体であり、
表示筐体の下側に本体筐体が重なり合っている状態となるスタイルと、前記回転ヒンジ機構部を介して一方の筐体を他方の筐体に対して回転させた状態となるスタイルとに変更可能とした、ことを特徴とする請求項1あるいは請求項３記載の携帯端末装置。
【請求項６】
コンピュータに対して、
装置本体を構成する複数の筐体を回転可能に連結するヒンジ機構部の近傍に配置されている磁気センサとマグネットとが接近した際に、当該磁気センサが反応してオンすることで装置本体の形態が第１のスタイルから第２のスタイルに変化したことを検出し、この第２のスタイルから前記ヒンジ機構部を介して何れかの筐体を回転させることで前記マグネットとは磁極が逆の他のマグネットに前記磁気センサが接近した際に、磁気センサが前記逆の磁極によって無反応のオフ状態となることで第２のスタイルから第１のスタイルに変化したことを検出する機能と、
前記第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする前記磁気センサからの出力に基づいてデータの表示向きを変更する機能と、
を実現させるためのプログラム。
【発明の詳細な説明】
【技術分野】
【０００１】
この発明は、装置本体を構成する複数の筐体を回転ヒンジ機構によって回転可能に連結して成る携帯端末装置およびプログラムに関する。
【背景技術】
【０００２】
近年、携帯電話は、様々なデザインの機種が存在しているが、その全体の形状特性から「ストレート型の携帯電話」、「折畳型の携帯電話」、「スライド型の携帯電話」、「回転型の携帯電話」などに分類することができる。この場合、「ストレート型の携帯電話」以外は、持ち運び易さを考慮してコンパクト収納を主目的としたものであり、電話本体の形態はその可動部分によって複数のスタイルに変更することができる。たとえば、現在、普及している開閉式折畳型の携帯電話であれば、電話本体を構成する２つ筐体を折り畳んだ閉じた状態と開いた状態の２つのスタイル(クローズスタイルとオープンスタイル)に変更することができる。
【０００３】
ところで、従来、開閉式の折畳型携帯電話において、クローズスタイルとオープンスタイルとをホールＩＣとマグネットを使用して検出するようにした携帯電話無線装置が知られている（特許文献１参照）。一方、折畳型携帯電話においては、キーボードを備えた本体筐体に表示画面を備えた表示筐体を回転可能に取り付けて成る折畳型・回転型(複合型)の携帯電話機が知られている（特許文献２参照）。
【特許文献１】特開２００３−３０９６２９号公報
【特許文献２】特開２００２−１１８６３３号公報
【発明の開示】
【発明が解決しようとする課題】
【０００４】
しかしながら、上述した特許文献２の折畳型・回転型(複合型)の携帯電話機において、本体筐体に対して表示筐体を１８０°回転させることによって表示画面が逆向きとなったか否かを検出する手段として、たとえば、機械的なスイッチを使用すると、高密度での実装が困難となると共に耐久性などに問題を生じ、また、上述した特許文献１のように磁気センサ(ホール素子)を使用すると、その周囲の金属部分に磁化された微弱磁界によって磁気センサに悪影響が及んで誤動作するおそれがある。すなわち、表示筐体を反転させた場合に、磁気センサとマグネットとが相対向し、磁気センサが反応してその出力がオンとなることによって表示画面の逆向き状態を検出することが可能となるが、本体筐体と表示筐体とを回転可能とするヒンジ機構の連結部分(ブラケットなど)の強度を維持するために金属製のブラケットに磁気センサを取り付けた場合、磁気センサとマグネットとが相対向しているセンサのオン状態が続くと、マグネットからの磁力によって金属製ブラケットが磁化され、表示筐体を反転状態から元の状態に戻したとしても、磁気センサがオフせず、そのままオン状態となってしまう危険性があった。
【０００５】
この発明の課題は、装置本体を構成する複数の筐体を回転可能に連結するヒンジ機構部の近傍に配置されている磁気センサとマグネットとが接近した際に、磁気センサが反応してその出力がオンとなる状態が続いたとしても、磁気センサとマグネットとが離間した際には、磁気センサを確実にオフできるようにすることである。
【課題を解決するための手段】
【０００６】
請求項１記載の発明は、装置本体を構成する複数の筐体を回転可能に連結するヒンジ機構部の近傍に配置されている磁気センサとマグネットとが接近した際に、当該磁気センサが反応してオンすることで装置本体の形態が第１のスタイルから第２のスタイルに変化したことを検出する携帯端末装置であって、前記磁気センサとマグネットとが接近している第２のスタイルから前記ヒンジ機構部を介して何れかの筐体を回転させることで第１のスタイルに変化させた際に、当該磁気センサに接近する位置に前記マグネットとは磁極が逆の他のマグネットを設け、前記磁気センサが前記他のマグネットに接近した際に、磁気センサが前記逆の磁極によって無反応のオフ状態となる構成としたことを特徴とする。
【０００７】
なお、請求項１記載の発明は次のようなものであってもよい。
前記ヒンジ機構部と筐体とを連結する部分の強度を維持するためにヒンジ機構部のブラケットを金属製の部材とし、この金属製ブラケットに前記磁気センサを取り付ける（請求項２記載の発明）。
【０００８】
前記第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする前記磁気センサからの出力に基づいてデータの表示向きを変更する表示制御手段を設ける（請求項３記載の発明）。
【０００９】
前記装置本体は、キー操作部を備えた本体筐体と表示部を備えた表示筐体とがヒンジ機構部を介して開閉可能に取り付けられていると共に、表示筐体が前記ヒンジ機構部を介して回転可能に取り付けられた折畳型・回転型の装置本体であり、前記本体筐体と表示筐体とが前記ヒンジ機構部を介して開いた状態となるスタイルと、本体筐体と表示筐体とを開いた状態において前記ヒンジ機構部を介して表示筐体を逆向きに回転させた状態あるいは表示筐体を逆向きに回転させた状態から前記ヒンジ機構部を介して表示筐体を本体筐体に折り畳むことによって本体筐体と表示筐体とが重なり合った状態となるスタイルとに変更可能とする（請求項４記載の発明）。
【００１０】
前記装置本体は、キー操作部を備えた本体筐体と表示部を備えた表示筐体とが回転ヒンジ機構部を介して回転可能に取り付けられた回転型の装置本体であり、表示筐体の下側に本体筐体が重なり合っている状態となるスタイルと、前記回転ヒンジ機構部を介して一方の筐体を他方の筐体に対して回転させた状態となるスタイルとに変更可能とする（請求項５記載の発明）。
【００１１】
コンピュータに対して、装置本体を構成する複数の筐体を回転可能に連結するヒンジ機構部の近傍に配置されている磁気センサとマグネットとが接近した際に、当該磁気センサが反応してオンすることで装置本体の形態が第１のスタイルから第２のスタイルに変化したことを検出し、この第２のスタイルから前記ヒンジ機構部を介して何れかの筐体を回転させることで前記マグネットとは磁極が逆の他のマグネットに前記磁気センサが接近した際に、磁気センサが前記逆の磁極によって無反応のオフ状態となることで第２のスタイルから第１のスタイルに変化したことを検出する機能と、前記第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする前記磁気センサからの出力に基づいてデータの表示向きを変更する機能とを実現させるためのプログラム（請求項６記載の発明）
【発明の効果】
【００１２】
請求項１記載の発明によれば、ヒンジ機構部の近傍に配置されている磁気センサとマグネットとが接近した際に、磁気センサが反応してオンすることで第１のスタイルから第２のスタイルに変化したことを検出する携帯端末装置において、磁気センサとマグネットとが接近している第２のスタイルから第１のスタイルに変化させた際に、磁気センサに接近する位置にマグネットとは磁極が逆の他のマグネットを設けたから、磁気センサのオン状態が続いたとしても、磁気センサとマグネットとが離間した際には、磁気センサを確実にオフすることができる。言い換えれば、第２のスタイルから第１のスタイルに変化させた時点で磁気センサが逆の磁極によって無反応のオフ状態となるためにセンサの誤動作を確実に防止することが可能となり、さらには、外部からの磁場影響による誤動作に対しても効果的なものとなる。
【００１３】
請求項２記載の発明によれば、上述した請求項１記載の発明と同様の効果を有する他、ヒンジ機構部の金属製ブラケットに磁気センサを取り付けたから、金属製ブラケットなどが磁化されたとしてもその微弱磁界による悪影響を確実に抑えることが可能となる。つまり、磁気センサの誤動作を防止するためにヒンジ機構部のブラケットなどを合成樹脂などの非磁性体とする必要はなく、金属製とすることによって当該部分の強度を維持することが可能となる。
【００１４】
請求項３記載の発明によれば、上述した請求項１記載の発明と同様の効果を有する他、第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする磁気センサからの出力に基づいてデータの表示向きを変更するようにしたから、横長画面、縦長画面に合った表示形態でデータ表示が可能となる。この場合、スタイル変化に応じて磁気センサを確実にオン／オフすることができると共に、外部からの磁場にも影響されないので、縦長画面、横長画面に応じてデータの表示向きを確実に変更することが可能となる。
なお、請求項６記載の発明においても、請求項１および請求項３記載の発明と同様の効果を有する。
【００１５】
携帯端末装置は、キー操作部を備えた本体筐体と表示部を備えた表示筐体とがヒンジ機構部を介して開閉可能に取り付けられていると共に、表示筐体が当該ヒンジ機構部を介して回転可能に取り付けられた折畳型・回転型 (複合型)の携帯端末装置であってもよい (請求項４記載の発明)。また、キー操作部を備えた本体筐体と表示部を備えた表示筐体とが回転ヒンジ機構部を介して回転可能に取り付けられた回転型の携帯端末装置であってもよい (請求項５記載の発明)。
【発明を実施するための最良の形態】
【００１６】
以下、図１〜図６を参照して本発明の実施例を説明する。
図１は、この実施例における折畳・回転型(複合型)のカメラ付き携帯電話装置の外観図であり、(Ａ)は、装置本体を閉じた状態を示した正面図、(Ｂ)は、装置本体を開いた状態の正面図である。
この装置本体は、２つの筐体１、２から構成されており、キー操作部３を備えた本体筐体(下部筐体)１と、表示部４を備えた表示筐体(上部筐体)２とは、筐体付きのヒンジ機構部(連結部)５を介して取り付けられている。
【００１７】
この筐体付きヒンジ機構部５は、本体筐体１と表示筐体２とを開閉可能に連結する折畳構造(開閉ヒンジ機構)のほかに、本体筐体１に対して表示筐体２を１８０°回転可能に連結する回転構造(回転ヒンジ機構)を有している。この場合、本体筐体１と表示筐体２とを開いた状態において、ヒンジ機構部５の回転構造を構成する回転支軸５Ａを介して表示筐体２を１８０°回転させることによってその表示部４を逆向き(背面側)に反転させることが可能となっている。なお、装置本体を開いた際に、本体筐体１と表示筐体２とは１８０°あるいは所定角度(たとえば、１３５°)まで開くことができる。
【００１８】
図２(Ａ)は、表示筐体２を１８０°回転させて表示部４を逆向き(背面側)に反転させた状態を示し、(Ｂ)は、表示部４を逆向きに回転させた状態から表示筐体２を本体筐体１に重ね合わせた状態を示した図である。
なお、上述した図１(Ａ)に示すように表示筐体２が本体筐体１に重なり合っている状態を「クローズスタイル」と呼称し、また、図１(Ｂ)に示すように本体筐体１と表示筐体２とを開いた状態を「正転オープンスタイル」、図２(Ａ)に示すように表示筐体２を１８０°回転させてその表示部４を逆向きに反転させた状態を「反転オープンスタイル」、図２(Ｂ)に示すように表示部４を逆向きに反転させた状態から表示筐体２を本体筐体１に重ね合わせた状態を「ビュースタイル」と呼称する。ここで、図２(Ａ)に示した「反転オープンスタイル」は、「正転オープンスタイル」から「ビュースタイル」に変更する過程での過渡的なスタイルである。
【００１９】
本体筐体１に設けられたキー操作部３には、メインメニューを呼び出すためのメニューキー３Ａ、メールメニューを呼び出すためのメールキー３Ｂ、電話帳を呼び出すための電話帳キー３Ｃ、４方向に対応してメニュー項目などを選択するカーソルキー３Ｄと、カーソルキー３Ｄで選択された項目を決定するときなどに使用される決定キー４Ｅのほか、通話発信の開始／応答受信(オンフック)を指示する開始キー４Ｆと、電源オン／オフキー４Ｇ、ダイアル入力、数値、文字入力などを行う数値キー４Ｈなどが設けられている。また、表示筐体２には、その両側部にサイドキー６が配置されている。また、表示筐体２の背面側には、撮影レンズ７が設けられている。なお、ヒンジ機構部５の近傍に設けられている磁気センサ８、マグネット９、１０については後述する。
【００２０】
表示部４は、たとえば、カラー液晶画面であり、縦横比の異なる高精細ディスプレイであり、待受画面、メニュー画面、メール作成画面、電話帳出力画面、カメラ撮影時のファインダ画面、カメラ画像の再生画面等として機能する。この表示部４は、図１(Ｂ)に示す「正転オープンスタイル」では、縦長画面として使用され、図２(Ｂ)に示す「ビュースタイル」では横長画面として使用されるが、その際、縦長画面、横長画面に応じてデータの表示向きが変更される。すなわち、図３(Ａ)に示すように縦長画面ではその短辺方向に沿ってデータが配列表示され、また、図３(Ｂ)に示すように横長画面ではその長手方向に沿ってデータが配列表示されるため、同一のデータを同じ文字サイズおよび文字ピッチで表示するものとすると、横長画面はその列方向(横方向)に多くのデータを表示することが可能となり、また、縦長画面はその行方向(縦方向)に多くのデータを表示することが可能となる。
【００２１】
図４は、本体筐体１と表示筐体２とを開閉可能および回転可能に連結するためのヒンジ機構部５を中心としてその周辺部分を説明するための図で、図２(Ａ)に示したように表示筐体２を反転した「反転オープンスタイル」の状態を示している。
上述したようにヒンジ機構部５は、本体筐体１と表示筐体２とを開閉可能に連結する開閉ヒンジ機構と回転可能に連結する回転ヒンジ機構とを有し、この開閉ヒンジ機構と回転ヒンジ機構とはそれぞれ独立に作動するようになっている。なお、表示筐体２を１８０°回転可能とするほかに、勿論、３６０°回転可能としてもよく、また、回転方向も時計回り、反時計回りに限らず、自由に回転可能としてもよい。
【００２２】
この回転ヒンジ機構を構成する縦軸(回転支軸)５Ａと開閉ヒンジ機構を構成する横軸(開閉支軸)５Ｂとは互いに直交し、横軸である開閉支軸５Ｂは、そのヒンジ筐体５Ｃの内部に収納され、たとえば、ヒンジ筐体５Ｃの両側板部などに回転可能に軸支されている。縦軸である回転支軸５Ａは、ヒンジ筐体５Ｃの内部に設けられた軸受部材５Ｄにその下端部が固定されており、また、軸受部材５Ｄの中心部分から起立した上端部には、ブラケット５Ｅが回転可能に取り付けられている。なお、これとは逆に、回転支軸５Ａの下端部を軸受部材５Ｄに回転可能に取り付け、その上端部にブラケット５Ｅを固定的に取り付けてもよい。
【００２３】
このブラケット５Ｅには、回転支軸５Ａを中心としてその左右に表示筐体２の下端部分がビス止めなどの手段によって固定するための取付板５Ｅ１、５Ｅ２を備えられている。この場合、この実施例においては、取付板５Ｅ１、５Ｅ２を含めて全体強度を維持するために金属製(鉄などの磁性体製)のブラケットを使用するようにしている。そして、この取付板５Ｅ１、５Ｅ２のうち、その一方の取付板、すなわち、図示の例では右側の取付板５Ｅ１には、その下端部付近に磁気センサ８が固定されている。
【００２４】
この磁気センサ８は、たとえば、デジタルタイプのホール素子によって構成されたもので、図２(Ｂ)で示した「ビュースタイル」では、図４に示すようにヒンジ筐体５Ｃ内の軸受部材５Ｄの上面に配置されているマグネット(図４では、右側に配置されているマグネット)９と接近(相対向)することで、磁気センサ８が反応してオンし、「ビュースタイル」であることを検出可能となっている。すなわち、この磁気センサ８、マグネット９は、スタイル検出部を構成するものであり、磁気センサ８のオン／オフに対応してその出力信号(スタイル検出信号)は、ハイレベル／ローレベルとなる。この場合、磁気センサ８は、「ビュースタイル」では“オン”となり、図１(Ｂ)に示した「正転オープンスタイル」では、磁気センサ８とマグネット９とが離間して、磁気センサ８がマグネット９の反対側(図４では、左側)に位置するようになるため磁気センサ８は“オフ”となる。なお、以下、マグネット９をスタイル検出用マグネットと呼称するものとする。
【００２５】
ヒンジ筐体５Ｃの軸受部材５Ｄの上面には、スタイル検出用マグネット９のほかに、誤動作防止用マグネット１０が配置されている。この誤動作防止用マグネット１０は、スタイル検出用マグネット９とは逆の磁極を持つ磁石であり、たとえば、磁気センサ８に対向する端部側の磁極として、スタイル検出用マグネット９が「Ｎ極」であれば、誤動作防止用マグネット１０は「Ｓ極」となるように配置されている。また、表示筐体２の反転状態から１８０°回転させた際、つまり、「反転オープンスタイル」あるいは「ビュースタイル」から「正転オープンスタイル」に変更した際に、誤動作防止用マグネット１０が磁気センサ８と相対向する位置関係となるようにスタイル検出用マグネット９の反対側に配置されている。
【００２６】
この誤動作防止用マグネット１０は、磁気センサ８とスタイル検出用マグネット９とが対向することによって磁気センサ８のオン状態が続いた際、つまり、「反転オープンスタイル」あるいは「ビュースタイル」の状態が続いた際に、スタイル検出用マグネット９からの磁力によって金属製ブラケット５Ｅの取付板５Ｅ１などが磁化されてしまい、「正転オープンスタイル」に変更したとしても、その微弱磁界によって磁気センサ８がオンのままとなる誤動作を防止するために設けられたものである。つまり、一般にホール素子は、一方向の磁力に対して反応するという特性を有しているため、スタイル検出用マグネット９の磁極に対して逆の磁極を持つ新たなマグネット１０を誤動作防止用として設け、「正転オープンスタイル」に変更した際に、金属製ブラケット５Ｅが磁化されていても逆の磁性によって無反応のオフ状態となってその影響を受けないようにするために設けられたものである。
【００２７】
図５は、折畳・回転型(複合型)のカメラ付き携帯電話装置の基本的な構成要素を示したブロック図である。
ＣＰＵ１１は、記憶部１２内の各種のプログラムに応じてこの携帯電話装置の全体動作を制御する中央演算処理装置である。記憶部１２は、不揮発性メモリ(内部メモリ)であり、たとえば、ＲＯＭ(フラッシュメモリなど)によって構成され、プログラム領域とデータ領域とを有し、このプログラム領域には、後述する図５に示す動作手順に応じて本実施例を実現するためのプログラムが格納されている。メモリ(たとえば、スタティックＲＡＭ)１３は、ワーク領域を有する内部メモリであり、また、メモリカード１４は、着脱自在な記録メディアであり、たとえば、スマートメディア、ＩＣカード、メモリスティックなどによって構成され、ＲＡＭ１３との間において画像データなどの授受が行われる。
【００２８】
ＣＰＵ１１には、通信データ処理部１５、オーディオインターフェイス１６が接続されており、アンテナ１７からの受信電波が無線部１８によって検波、復調されると共にデジタル変換されて通信データ処理部１５に与えられると、通信データ処理部１５は、通話呼出、メール受信、インターネット受信かを判別し、通話呼出あるいはメール受信であれば、ＣＰＵ１１は、音源ＩＣ部１９に設定されている着信音を読み出してアンプ(ＡＭＰ)２０に与え、報知用スピーカ２１から着信音を発生出力させると共に、表示制御部２２を介して報知用ＬＥＤ２３を点灯駆動させる。さらに、ＣＰＵ１1は、通話呼出であれば、オンフック操作(応答操作)に応じて通話相手先との接続が確立されると、通信データ処理部１５からの音声データをオーディオインターフェイス１６を介して音声スピーカ２４から発生出力させる。マイクロホン２５からの入力音声は、オーディオインターフェイス１６、通信データ処理部１５を介して無線部１８に与えられて変調された後にアンテナ１７から発信出力される。
【００２９】
また、ＣＰＵ１１には、その入出力周辺デバイスであるキー操作部３、表示部４、磁気センサ８のほか、カメラ撮像制御部２６、充電コネクタ部２７が接続されている。ＣＰＵ１１は、磁気センサ８からの検出信号に基づいて装置本体の現在のスタイルとして「オープンスタイル」か、「ビュースタイル」かを判別し、スタイルに応じてデータの表示向きを変更するようにしている。なお、カメラ撮像部２６は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。充電コネクタ部２７は、充電スタンドに接続されるもので、充電スタンドからの充電電流によって２次電池が充電される。
【００３０】
次ぎに、この実施例における携帯電話装置の動作概念(スタイルに応じた表示処理)を図６に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３１】
図６は、電源投入に伴って実行開始される携帯電話装置の動作を示したフローチャートである。
先ず、ＣＰＵ１１は、磁気センサ(ホール素子)８からのスタイル検出信号を取得してそのオン／オフ状態をチェックする(ステップＳ１)。ここで、磁気センサ８とスタイル検出用マグネット９とが相対向する関係にあると、磁気センサ８が反応してオンし、その出力(スタイル検出信号)はハイレベルとなるため、ＣＰＵ１１は、この磁気センサ８からのスタイル検出信号に基づいて「ビュースタイル」にセットされていると判別する。この場合、表示制御用のフラグ(横向きフラグ)をオンさせた後(ステップＳ２)、予め用意されている待受画像を読み出して表示部４に横向待受画面として表示出力させる(ステップＳ３)。
【００３２】
一方、装置本体のスタイルが変更されて磁気センサ８の位置がスタイル検出用マグネット９から離間し、磁気センサ８と誤動作防止用マグネット９とが相対向する関係になると、磁気センサ８は無反応なオフ状態となり、その出力(スタイル検出信号)はローレベルとなるため、ＣＰＵ１１は、この磁気センサ８からのスタイル検出信号に基づいて「正転オープンスタイル」にセットされていると判別する(ステップＳ１でＮＯ)。この場合、上述の横向きフラグをオフさせた後に(ステップＳ７)、上述の待受画像を読み出して表示部４に縦向待受画面として表示出力させる(ステップＳ８)。
【００３３】
このように待受画面が表示されている状態において、通話着信あるいはメール受信を検出すると(ステップＳ４でＹＥＳ)、着信報知を行うほかに、予め用意されている着信画像を読み出し、上述の横向きフラグがオン／オフに応じて横向き着信画面／縦向き着信画面を表示部４に表示出力させた後(ステップＳ５)、電話着信／メール着信に応じた着信対応処理を実行する(ステップＳ６)。また、キー操作部３のキーあるいはサイドキー６が操作された場合には(ステップＳ９でＹＥＳ)、上述の横向きフラグがオン／オフに応じて横向画面／縦向画面を表示出力させると共に(ステップＳ１０)、操作キー対応の処理を実行する(ステップＳ１１)。
【００３４】
また、ＣＰＵ１１は、磁気センサ(ホール素子)８からのスタイル検出信号が変化したかを監視しており(ステップＳ１２)、磁気センサ(ホール素子)８の出力が変化したことを検出すると、オフからオンへの変化か、オンからオフへの変化かを判別する(ステップＳ１３)。いま、磁気センサ(ホール素子)８の出力がオフからオンに変化することによって「正転オープンスタイル」から「ビュースタイル」に変更された際には、横向きフラグをオンすると共に(ステップＳ１４)、現在表示されている画面を横向きに変換して表示部４に再表示させる(ステップＳ１５)。逆に、磁気センサ(ホール素子)８の出力がオンからオフに変化することによって「ビュースタイル」から「正転オープンスタイル」に変更された際には(ステップＳ１３でＮＯ)、横向きフラグをオフすると共に(ステップＳ１６)、現在表示されている画面を縦向きに変換して表示部４に再表示させる(ステップＳ１７)。
【００３５】
以上のように、この実施例においては、本体筐体１と表示筐体２とを回転可能に連結するヒンジ機構部５の近傍に磁気センサ８、スタイル検出用マグネット９のほか、このスタイル検出用マグネット９とは磁極が逆の誤動作防止用マグネット１０を設け、磁気センサ８とスタイル検出用マグネット９とが接近する「ビュースタイル」の状態では、磁気センサ８が反応してオンとなるが、磁気センサ８と誤動作防止用マグネット１０とが接近している「オープンスタイル」に戻されると、誤動作防止用マグネット１０による逆の磁性によって磁気センサ８が無反応のオフ状態となる。したがって、磁気センサ８のオン状態(ビュースタイル)が続いたとしても、磁気センサ８とスタイル検出用マグネット９とが離間した際には、磁気センサ８を確実にオフすることができる。言い換えれば、「ビュースタイル」から「オープンスタイル」に変化させた時点で磁気センサ８が逆の磁性によって無反応のオフ状態となるため、磁気センサの誤動作を確実に防止することが可能となり、さらには、外部からの磁場影響による誤動作に対しても効果的なものとなる。
【００３６】
この場合、ヒンジ機構部５の金属製ブラケット５Ｅに磁気センサ８を取り付けたから、金属製ブラケット５Ｅなどが磁化されたとしてもその微弱磁界による悪影響を確実に抑えることが可能となる。つまり、磁気センサ８の誤動作を防止するためにヒンジ機構部５のブラケット５Ｅなどを合成樹脂などの非磁性体とする必要はなく、金属製とすることによって当該部分の強度を維持することが可能となる。
【００３７】
一方、「オープンスタイル」から「ビュースタイル」あるいは「ビュースタイル」から「オープンスタイル」に変化することによって縦横比が異なる表示部４が横長画面から縦長画面あるいは縦長画面から横長画面に変更された際に、ＣＰＵ１１は、磁気センサ８からの出力に基づいてデータの表示向きを変更するようにしたから、横長画面、縦長画面に合った形態でデータ表示が可能となる。この場合、スタイル変化に応じて磁気センサ８を確実にオン／オフすることができると共に、外部からの磁場にも影響されないので、縦長画面、横長画面に応じてデータの表示向きを確実に変更することが可能となる。
【００３８】
なお、上述した実施例においては、折畳・回転型(複合型)の携帯電話装置に適用した場合を例示したが、図７に示す回転型の携帯電話装置にも同様に適用可能である。
回転型の携帯電話装置において、その装置本体は、図７(Ａ)〜(Ｃ)に示すように、２つの筐体１０１、１０２とを有し、キー操作部１０３を備えた下部筐体(本体筐体)１０１と、表示部１０４のほか、キー操作部１０５を備えた上部筐体(表示筐体)１０２とが回転ヒンジ機構部を構成する回転支軸１０６を介して回転可能に取り付けられている。図７(Ａ)は、装置本体を閉じて状態、つまり、本体筐体１０１と表示筐体１０２とを重ね合わせた状態(クローズスタイル)を示し、(Ｂ)は、回転支軸１０６を中心として本体筐体１０１を回転し始めた途中の過渡状態を示し、(Ｃ)は、装置本体を開いた状態、つまり、本体筐体１０１と表示筐体１０２とが直線的になるように本体筐体１０１を１８０°回転させた状態(オープンスタイル)を示している。
【００３９】
この場合、上述の「クローズスタイル」、「オープンスタイル」の検出は、たとえば、回転支軸１０６の近傍に設けた磁気センサとスタイル検出用マグネット (図示せず)によって行い、本体筐体１０１を１８０°回転させることによってオープンスタイルに変更された際に、磁気センサが「オン」となる。この場合においても、スタイル検出用マグネットとは磁極が逆の誤動作防止用マグネット(図示せず)が設けられており、「クローズスタイル」に変化された際に、磁気センサが「オフ」となる。
【００４０】
また、上述した実施例においては、図２(Ａ)の「ビュースタイル」に変化された際に、磁気センサ８とスタイル検出用マグネット９とが相対向して磁気センサ８がオンとなるようにしたが、これとは逆に、「正転オープンスタイル」で磁気センサ８とスタイル検出用マグネット９とが相対向して磁気センサ８がオンする構成としてもよい。つまり、一般的には「正転オープンスタイル」での使用頻度が高いため、「オープンスタイル」で磁気センサ８をオフするようにしているが、スタイル検出用マグネット９のほかに、誤動作防止用マグネット１０を設けることで、「正転オープンスタイル」で磁気センサ８をオンさせることが可能となる。
【００４１】
さらに、上述した実施例においては、磁気センサ８をブラケット５Ｅに取り付けて表示筐体２側に設けたが、これとは逆に、ヒンジ機構部５の軸受部材５Ｄの上面に取り付けるようにしてもよい。つまり、上述した実施例とは逆に、磁気センサ８を本体筐体１側に設け、スタイル検出用マグネット９および誤動作防止用マグネット１０を表示筐体２側に設けても同様の効果を奏する。
【００４２】
また、上述した実施例においては、磁気センサとして、ホール素子を使用したが、磁気抵抗型素子(ＭＲ素子)であってもよく、磁気センサの種類は問わない。
その他、装置本体は、上部筐体と下部筐体に限らず、３種類の筐体によって構成してもよい。また、携帯電話装置に限らず、たとえば、ＰＤＡなどの携帯端末装置であっても同様に適用可能である。
【００４３】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、装置本体を構成する複数の筐体を回転可能に連結するヒンジ機構部の近傍に配置されている磁気センサとマグネットとが接近した際に、当該磁気センサが反応してオンすることで装置本体の形態が第１のスタイルから第２のスタイルに変化したことを検出し、この第２のスタイルから前記ヒンジ機構部を介して何れかの筐体を回転させることで前記マグネットとは磁極が逆の他のマグネットに前記磁気センサが接近した際に、磁気センサが前記逆の磁性によって無反応のオフ状態となることで第２のスタイルから第１のスタイルに変化したことを検出する機能と、前記第１のスタイルから第２のスタイルあるいは第２のスタイルから第１のスタイルへの変化に伴って縦横比が異なる表示部が縦長画面から横長画面あるいは横長画面から縦長画面に変更された際に、このスタイルの変化に応じてオン、オフする前記磁気センサからの出力に基づいてデータの表示向きを変更する機能とを実現させるためのプログラムを記録したコンピュータが読み取り可能な記録媒体を提供するようにしてもよい。
【図面の簡単な説明】
【００４４】
【図１】折畳・回転型(複合型)のカメラ付き携帯電話装置の外観図であり、(Ａ)は、装置本体を閉じた状態を示した正面図、(Ｂ)は、装置本体を開いた状態の正面図。
【図２】(Ａ)は、表示筐体２を１８０°回転させて表示部４を逆向き(背面側)に反転させた状態を示し、(Ｂ)は、表示部４を逆向きに回転させた状態から表示筐体２を本体筐体１に重ね合わせた状態を示した図。
【図３】(Ａ)は、表示部４が縦長画面となった際の表示状態を示し、(Ｂ)は、横長画面になった際の表示状態図。
【図４】本体筐体１と表示筐体２とを開閉可能および回転可能に連結するためのヒンジ機構部５を中心としてその周辺部分を説明するための図。
【図５】折畳・回転型(複合型)のカメラ付き携帯電話装置の基本的な構成要素を示したブロック図。
【図６】電源投入に伴って実行開始される携帯電話装置の動作を示したフローチャート。
【図７】(Ａ)〜(Ｃ)は、回転型の携帯電話装置を適用した場合において、スタイルの変化状態を示した図。
【符号の説明】
【００４５】
１、１０１  本体筐体
２、１０２  表示筐体
３、１０３  キー操作部
４、１０４  表示部
５  ヒンジ機構部
５Ａ  回転支軸
５Ｂ  開閉支軸
５Ｃ  ヒンジ筐体
５Ｄ  軸受部材
５Ｅ  ブラケット
５Ｅ１、５Ｅ２  取付板
８  磁気センサ
９  スタイル検出用マグネット
１０  誤動作防止用マグネット
１１  ＣＰＵ
１２  記憶部
２２  表示制御部
１０６  回転支軸
【図１】
2006128982.tif 000003
【図２】
2006128982.tif 000004
【図３】
2006128982.tif 000005
【図４】
2006128982.tif 000006
【図５】
2006128982.tif 000007
【図６】
2006128982.tif 000008
【図７】
2006128982.tif 000009